(57)【要約】【課題】  複数の印鑑および小物をいっしょに携行し、必要に応じてその都度、容易に取り出して使用でき、また前記複数の印鑑は必要に応じて交換することができるようにする。【解決手段】  ケース付き印鑑１であって、筒状のケース本体２と、ケース本体２の先端側内面に着脱自在にネジ嵌合される印鑑体３と、該印鑑体３を覆ってケース本体２の先端側外面に着脱自在にネジ嵌合される先端側キャップ４と、ケース本体２の基端側外面に着脱自在にネジ嵌合される基端側キャップ５とを有しており、前記印鑑体３は棒状であって、ケース本体２よりも短く、印鑑体３の基端とケース本体２の基端間が小物収納部となされている。【選択図】  図１
2011251512.tif 000002
【特許請求の範囲】
【請求項１】
筒状のケース本体と、ケース本体の先端側内面に着脱自在にネジ嵌合される印鑑体と、該印鑑体を覆ってケース本体の先端側外面に着脱自在にネジ嵌合される先端側キャップと、ケース本体の基端側外面に着脱自在にネジ嵌合される基端側キャップとを有し、印鑑体は棒状であって、ケース本体よりも短く、ケース本体内における印鑑体の基端とケース本体の基端との間が小物収容部となされている、ケース付き印鑑。
【請求項２】
ケース本体が円筒状である、請求項１記載のケース付き印鑑。
【発明の詳細な説明】
【技術分野】
【０００１】
本発明は、願い事を書いた紙やお香、サプリメント等の種々の小物を入れることができ、しかも複数の印鑑を適宜交換可能としたケース付き印鑑に関する。
【背景技術】
【０００２】
通常、一人の人が持つ印鑑として、所謂、認印の他、実印、銀行印および職印等の用途に応じて複数のものが挙げられる。また、印鑑の書体も印相体、てん書体、古印体、れい書体、楷書体および行書体等、様々であり、更に印鑑の材質も柘植、水牛、ホーン、黒檀、彩樺、アグニ、象牙、チタン、瑪瑙、琥珀および金等、様々である。
【０００３】
そのため、一般に多くの人は、一人で複数の印鑑を所持しているのが実情である。
【先行技術文献】
【特許文献】
【０００４】
【特許文献１】特開２０１０−０５８４０９
【特許文献２】特開２０１０−００５８９０
【発明の概要】
【発明が解決しようとする課題】
【０００５】
前述のように、一人の人が用途や目的に合わせて複数の印鑑を使い分けていることから、日常、これら複数の印鑑を携行し、使用時にそれらの一つを鞄等から取り出して押印している。しかしながら、印鑑はケースに入った状態でも小さいため、鞄等中で埋没し易く、取り出すのに時間がかかったりすることも多い。
【０００６】
また、人によっては、前記印鑑の他に、願い事を書いた紙や神社でもらったおみくじ、お香、サプリメントや薬の錠剤等の小物を携行している場合も多い。そのため、前記印鑑の他に、これら小物もうまく管理しておくのが煩雑となり易い。
【０００７】
本発明の目的は、複数の印鑑および小物をいっしょに携行し、必要に応じてその都度、容易に取り出すことができるケース付き印鑑を提供することにある。
【課題を解決するための手段】
【０００８】
請求項１記載の本発明は、筒状のケース本体と、ケース本体の先端側内面に着脱自在にネジ嵌合される印鑑体と、該印鑑体を覆ってケース本体の先端側外面に着脱自在にネジ嵌合される先端側キャップと、ケース本体の基端側外面に着脱自在にネジ嵌合される基端側キャップとを有し、印鑑体は棒状であって、ケース本体よりも短く、印鑑体の基端とケース本体の基端間が小物入れとなされている、ケース付き印鑑である
【０００９】
ケース本体および各キャップの材質は、衝撃や熱、水に対して耐性を有し、且つ軽いものが好ましく、例えば、アルミニウム合金やチタン合金、或いはプラスチック等が好適である。
【００１０】
印鑑体の材質は、市販されている印鑑と同様の材質で構成され、具体的には、柘植、水牛、ホーン、黒檀、彩樺、アグニ、象牙、チタン、瑪瑙、琥珀および金等である。
【００１１】
請求項２記載の本発明は、前記請求項１記載のケース付き印鑑について、ケース本体が円筒状であることを特徴とするものである。
【発明の効果】
【００１２】
本発明は、筒状のケース本体と、ケース本体の先端側内面に着脱自在にネジ嵌合される印鑑体と、該印鑑体を覆ってケース本体の先端側外面に着脱自在にネジ嵌合される先端側キャップと、ケース本体の基端側外面に着脱自在にネジ嵌合される基端側キャップとを有し、印鑑体は棒状であって、ケース本体よりも短く、印鑑体の基端とケース本体の基端間が小物入れとなされているため、印鑑体を認印、実印、銀行印および職印等の用途に応じて複数作製しておき、必要に応じて、ケース本体にそれぞれ交換・装着するようにすれば、印鑑の管理が行い易く、また使用面でも便利である。しかも、本発明のケース付き印鑑体によれば、ケース本体を握って押印すれば良く、印鑑体を握る必要がないため、印鑑体自身は通常のものより短い三分の一程度の長さにでき、したがって通常の印鑑よりも材料費を節減することができる。そのため、プラスチックや柘植といった比較的安価な材料ではなく、水牛や象牙といった比較的な高価な材料で印鑑体を作製しても費用を抑えることができる。
【００１３】
また、ケース本体において、印鑑体が挿着された部分から基端側のスペースは、小物入れとして、願い事を書いた紙や神社でもらったおみくじ、お香、サプリメントや薬の錠剤等を入れておくことができる。また、これら小物の他、使用しない印鑑体を収納しておくようにしても良い。
【００１４】
そのため、本発明によれば、複数種類の印鑑と願い事を書いた紙や神社でもらったおみくじ、お香、サプリメントや薬の錠剤等の小物を一括して携行することができることから、その管理および使用が非常に便利となる。
【図面の簡単な説明】
【００１５】
【図１】本発明に係るケース付き印鑑体の分解縦断面図である。
【図２】同じく本発明に係るケース付き印鑑体の立設状態を示す斜視図である。
【発明を実施するための形態】
【００１６】
次に、本発明の実施形態を図面にしたがって説明するが、本発明はかかる実施形態に限定されるものではない。
【００１７】
本実施形態に係るケース付き印鑑１は、円筒状のケース本体２と、ケース本体２の先端側内面に着脱自在にネジ嵌合される印鑑体３と、該印鑑体３を覆ってケース本体２の先端側外面にネジ嵌合される先端側キャップ４と、ケース本体２の基端側外面にネジ嵌合される基端側キャップ５とを有し、印鑑体３は棒状であって、ケース本体２よりも短く、印鑑体３の基端とケース本体２の基端間が小物入れ７となされている。
【００１８】
ケース本体２は、プラスチックやアルミニウム合金等で構成され、表面には必要に応じて模様が付されたり、レザー調の装飾シートが貼着される。
【００１９】
印鑑体３の先端面には名前が刻印されている。材質としては、市販の印鑑と同様、柘植、水牛、ホーン、黒檀、彩樺、アグニ、象牙、チタン、瑪瑙、琥珀および金等が使用される。そして、本実施形態では、認印、銀行印、職印として合計三本の印鑑体３が作製されている。
【００２０】
また、ケース本体２の内部において、前記印鑑体３の基端から後方の小物入れ７には、お香６や願い事を書いた巻紙８、サプリメント９等の小物が適宜収容される。また、前記小物入れ７を長くして、該部にケース本体２に装着していない他の印鑑体を収容しておくようにしても良い。
【００２１】
次に、本実施形態に係るケース付き印鑑の使用要領について説明すると、先ず印鑑体３については、ケース本体２から先端側キャップ４を取り外して、使用する印鑑体３をその都度選んで、ケース本体２の先端部内に挿着することで該印鑑体３を押印することができる。また、この場合、使用者はケース本体２を把持して押印するため、通常の印鑑よりも押印作業が容易となり、繰り返し押印を行う場合でも手が疲れ難いという利点がある。
【００２２】
一方、ケース本体２の内部の基端側キャップ５の着脱を行うことで、ケース本体２内の小物入れ７に前述した種々の小物を収容したり、取り出したりすることができる。
【産業上の利用可能性】
【００２３】
本発明のケース付き印鑑は、前述したように、複数の印鑑を適宜セットして押印することができ、しかもケース本体内に種々の小物を入れて一括して携行することもできるため、幅広い利用が期待できる。
【符号の説明】
【００２４】
１  ケース付き印鑑
２  ケース本体
３  印鑑体
４  先端側キャップ
５  基端側キャップ
【図１】
2011251512.tif 000003
【図２】
2011251512.tif 000004